(57)【要約】【課題】所望の配光角度および軸光度を得ることができる反射板を提供する。【解決手段】この反射板２４Ｂは、光源２１とともに用いられる。反射板２４Ｂの内周面３０Ｂは、光源２１が配置される後端部３１Ｂから前端部３２Ｂの開口へ向かうにつれて拡径するドーム状である。内周面３０Ｂは、前端部３２Ｂ側へ向かうにつれて曲率が小さくなる。内周面３０Ｂは、分割された複数の小領域のそれぞれに、平面状または径方向内側へ突出する曲面状のファセットリフレクタ３０１Ｂが設けられた第１内周面３３Ｂと、第１内周面３３Ｂよりも前端部３２Ｂ側に配置され、滑らかな曲面状である第２内周面３４Ｂとを含む。【選択図】図１２
2019008926.tif 000002
【特許請求の範囲】
【請求項１】
光源とともに用いられる反射板であって、
前記光源の近傍に配置される後端部から前端部の開口へ向かうにつれて拡径するドーム状の内周面を有し、
前記内周面は、前記前端部側へ向かうにつれて曲率が小さくなり、
前記内周面は、
分割された複数の小領域のそれぞれに、平面状または径方向内側へ突出する曲面状のファセットリフレクタが設けられた第１内周面と、
前記第１内周面よりも前記前端部側に配置され、滑らかな曲面状である第２内周面と、
を含む、反射板。
【請求項２】
請求項１に記載の反射板であって、
前記第１内周面と前記第２内周面との境界部は、前記反射板の前記前端部と前記後端部との中間位置よりも前記前端部側に配置される、反射板。
【請求項３】
請求項１または請求項２に記載の反射板であって、
前記ファセットリフレクタは平面状である、反射板。
【請求項４】
光源とともに用いられる反射板であって、
前記光源の近傍に配置される後端部から前端部の開口へ向かうにつれて拡径するドーム状の内周面を有し、
前記内周面は、
前記前端部側へ向かうにつれて曲率が小さくなる第１内周面と、
前記第１内周面の前記前端部側に配置され、前記前端部側へ向かうにつれて曲率が小さくなる第２内周面と、
を含み、
前記光源の光軸を通る断面において、前記第２内周面の曲率は、前記第１基準曲面を前記前端部側へ延長した曲面の曲率よりも小さい、反射板。
【請求項５】
請求項４に記載の反射板であって、
前記第１内周面および前記第２内周面の少なくとも一方には、分割された複数の小領域のそれぞれに、平面状または径方向内側へ突出する曲面状のファセットリフレクタが設けられる、反射板。
【請求項６】
請求項５に記載の反射板であって、
前記ファセットリフレクタは平面状である、反射板。
【請求項７】
光源と、
請求項１ないし請求項６のいずれかに記載の反射板と、
を有する、照明装置。
【発明の詳細な説明】
【技術分野】
【０００１】
本発明は、照明装置に用いられる反射板、および、反射板を有する照明装置に関する。
【背景技術】
【０００２】
従来、反射板を有する照明装置が知られている。光源から出射される光を反射板に当てて反射させることにより、反射板の形状に応じて、照明装置から出射する光の性質を調節することができる。従来の複数の反射領域からなる反射板を有する照明装置は、例えば、特許文献１に示されている。
【先行技術文献】
【特許文献】
【０００３】
【特許文献１】特開２０１０−１４０６６９号公報
【発明の概要】
【発明が解決しようとする課題】
【０００４】
スポットライトとして用いる照明装置では、その配光角度を所望の角度にコントロールすることが求められる。また、配光角度が同じであっても、軸光度・中心照度が異なると照明効果が異なる。このため、配光角度だけでなく、軸光度や中心照度についてもコントロールできることが好ましい。
【０００５】
特に、配光角度が狭角（１／２ビーム角が５°〜１５°）または中角（１／２ビーム角が１５°〜３０°）である照明装置では、軸光度や中心照度が高い照明を要求される場合がある。
【０００６】
また、光の方向により色ムラが生じるＬＥＤ光源を用いても、照明装置として色ムラの影響が低減できることが望ましい。
【０００７】
本発明は、このような事情に鑑みなされたものであり、所望の配光角度および軸光度を得られるとともに、好ましくは色ムラが低減できる反射板を提供することを目的とする。
【課題を解決するための手段】
【０００８】
上記課題を解決するため、本願の発明は、光源とともに用いられる反射板であって、前記光源の近傍に配置される後端部から前端部の開口へ向かうにつれて拡径するドーム状の内周面を有し、前記内周面は、前記前端部側へ向かうにつれて曲率が小さくなり、前記内周面は、分割された複数の小領域のそれぞれに、平面状または径方向内側へ突出する曲面状のファセットリフレクタが設けられた第１内周面と、前記第１内周面よりも前記前端部側に配置され、滑らかな曲面状である第２内周面と、を含む。
【発明の効果】
【０００９】
本願の発明によれば、所望の配光角度および軸光度を得ることができる反射板が得られる。
【図面の簡単な説明】
【００１０】
【図１】第１実施形態に係る照明装置の側面図である。
【図２】第１実施形態に係る照明装置の断面図である。
【図３】シミュレーションモデルの断面図である。
【図４】シミュレーションモデルの断面図である。
【図５】シミュレーションモデルの断面図である。
【図６】シミュレーション結果の直射水平面照度データである。
【図７】シミュレーション結果の等照度曲線である。
【図８】シミュレーション結果の直射水平面照度データである。
【図９】シミュレーション結果の等照度曲線である。
【図１０】シミュレーション結果の直射水平面照度データである。
【図１１】シミュレーション結果の等照度曲線である。
【図１２】第２実施形態に係る照明装置の断面図である。
【図１３】第３実施形態に係る照明装置の断面図である。
【図１４】第１内周面と第２内周面との軸方向の割合と配光角度との関係を示したグラフである。
【図１５】シミュレーションモデルの断面図である。
【図１６】シミュレーションモデルの断面図である。
【図１７】シミュレーション結果の直射水平面照度データである。
【図１８】シミュレーション結果の直射水平面照度データである。
【発明を実施するための形態】
【００１１】
以下、本発明の好適な実施形態について、図面を参照しつつ説明する。
【００１２】
＜１．第１実施形態＞
図１は、本発明の第１実施形態に係る照明装置１Ａの側面図である。図２は、照明装置１Ａの本体部１０Ａの断面図である。この照明装置１Ａは、特定の方向に向かって光を照射する、いわゆるスポットライトである。この照明装置１Ａは、一例として、天井に配されたダクトレールに取り付けて固定される。
【００１３】
図１に示すように、照明装置１Ａは、照明光を照射する本体部１０Ａと、天井に対して固定される固定部１１と、固定部１１に対して本体部１０Ａを回動可能に支持するアーム部１２とを有する。
【００１４】
図１および図２に示すように、本体部１０Ａは、光源２１と、ヒートシンク２２と、光学部材２３と、反射板２４Ａと、バッフル２５と、支持部材２６とを有する。
【００１５】
光源２１は、ＣＯＢ（Chip on Board）タイプのＬＥＤ光源である。光源２１の光軸は、反射板の中心をなす軸である中心軸９に沿って配置される。以下では、中心軸９に沿う方向であって、光源２１が光を出射する方向を「前方」または「前側」と称し、前方とは逆の方向を「後方」または「後側」と称する。また、中心軸９に沿う方向を「軸方向」と称し、中心軸９を中心とする円周に沿う方向を「周方向」と称し、中心軸９に直交する方向を「径方向」と称する。ＣＯＢの発光領域は、例えば、直径１０ｍｍから３３ｍｍの円形である。
【００１６】
このようなＬＥＤ光源は、軸方向に発する光と軸方向から傾いた方向に発する光とで色ムラが生じる場合がある。一般には軸方向の光は色温度が高くやや青みがかっており、斜めになるにつれて色温度が低くやや黄色みを帯びる。
【００１７】
光源２１の前面は、光源２１の発光面となっている。光源２１の発光面の裏面側、すなわち、光源の後面側には、放熱部であるヒートシンク２２が配置される。ヒートシンク２２は、光源２１の裏面に沿って配置される光源配置部２２１と、光源配置部２２１に対して略垂直に立設される複数の放熱フィン２２２を有する。光源配置部２２１の前側の面には、光源２１が固定される。光源２１において発生した熱は、光源配置部２２１へ伝わり、放熱フィン２２２を介して空気中に放散される。
【００１８】
光学部材２３は、少なくとも一部が光源２１の前側に配置される透光性部材である。光学部材２３は、ヒートシンク２２に固定されるベース部２３１と、前側へ向かうにつれて縮径する筒部２３２と、筒部２３２の前側を覆うレンズ部２３３とを有する。
【００１９】
反射板２４Ａは、中心軸９を中心とし、前端部が開口した環状の部材である。反射板２４Ａは、光源２１の近傍に配置される後端部から前端部の開口へ向かうにつれて拡径するドーム状の内周面３０Ａを有する。内周面３０Ａは、軸方向一方側へ向かうにつれて曲率が小さくなる基準曲面に沿って配置される。基準曲面は、中心軸９を中心とした曲線を回転した回転体の曲面上に配置される。
【００２０】
内周面３０Ａのほぼ全体には、基準曲面を軸方向および周方向に分割した複数の小領域のそれぞれに、ファセットリフレクタ３０１Ａが設けられている。ファセットリフレクタは、例えば、周方向において、６°ごとに６０個設けられている。個々のファセットリフレクタ３０１Ａは平面状の反射面を有する。
【００２１】
この照明装置１Ａでは、光源２１が反射板２４Ａの後端部よりも後側に配置される。また、光学部材２３の筒部２３２の大部分と、レンズ部２３３とは、反射板２４Ａの内部に収容される。
【００２２】
バッフル２５は、中心軸９に沿って配置される円筒状の部材である。バッフル２５は、反射板２４Ａの前側に配置される。バッフル２５の内周面には、内周面が光って見えないようにするため、軸方向に間隔を空けて配置される複数の段が設けられている。
【００２３】
支持部材２６は、ヒートシンク２２およびバッフル２５を互いに固定する部材である。支持部材２６とヒートシンク２２とは、ねじ止めにて固定される。また、支持部材２６とバッフル２５とは、互いの有するねじ溝を噛み合わせて固定される。なお、支持部材２６およびヒートシンク２２と、支持部材２６およびバッフル２４とは、その他の固定方法によって互いに固定されてもよい。
【００２４】
光源２１に照明装置１Ａ外の別途の電源装置（図示せず）から駆動電流が供給されると、光源２１から前側へ向かう方向を中心として光が出射される。そして、光源２１から出射された光のうち、光学部材２３のレンズ部２３３に入射された光は、光学部材２３において屈折し、所定の方向へ向かう光となって出射される。
【００２５】
一方、光源２１から出射された光のうち、光学部材２３の筒部２３２に入射された光は、反射板２４Ａの内周面３０Ａへと向かう。反射板２４Ａの内周面３０Ａに入射された光は、各ファセットリフレクタ３０１Ａにおいて反射し、所定の方向へ向かう光となって出射される。
【００２６】
内周面３０Ａがファセットリフレクタ３０１Ａを有さない場合と比べて、内周面３０Ａがファセットリフレクタ３０１Ａを有することにより、反射板２４Ａが光源２１からの光を拡散する。このため、反射後の照明光に色ムラが生じるのを抑制できる。
【００２７】
以下では、ファセットリフレクタの有無および種類の違いについて、シミュレーション結果を参照しつつ説明する。シミュレーションは、ファセットリフレクタを有しない反射板モデルである第１モデルＭａ、複数の曲面状のファセットリフレクタを有する第２モデルＭｂ、および、複数の平面状のファセットリフレクタを有する第３モデルＭｃについて行った。
【００２８】
図３は、第１モデルＭａの断面図である。図４は、第２モデルＭｂの断面図である。図５は、第３モデルＭｃの断面図である。図３〜図５に示すように、これらのシミュレーションモデルＭａ，Ｍｂ，Ｍｃはそれぞれ、光源２１Ｍと、反射板２４Ｍ（２４Ｍａ，２４Ｍｂ，２４Ｍｃ）と、バッフル２５Ｍとを有する。なお、これらのシミュレーションモデルＭａ，Ｍｂ，Ｍｃは、レンズ部を有する透光性の光学部材２３を有していない。
【００２９】
第１モデルＭａにおいて、反射板２４Ｍａの内周面は、基準曲面に沿う滑らかな曲面状である。第２モデルＭｂでは、反射板２４Ｍｂの内周面の全体に、径方向内側へ突出する曲面状のファセットリフレクタ３０１Ｍｂが設けられている。第３モデルＭｃでは、反射板２４Ｍｃの内周面の全体に、平面状のファセットリフレクタ３０１Ｍｃが設けられている。ファセットリフレクタ３０１Ｍｂ，３０１Ｍｃはそれぞれ、周方向において６°ごとに６０個設けられる。また、第１モデルＭａ、第２モデルＭｂおよび第３モデルＭｃの内周面の基準曲面は同一形状である。
【００３０】
図６は、第１モデルＭａの直射水平面照度データである。図７は、第１モデルＭａの等照度曲線である。図８は、第２モデルＭｂの直射水平面照度データである。図９は、第２モデルＭｂの等照度曲線である。図１０は、第３モデルＭｃの直射水平面照度データである。図１１は、第３モデルＭｃの等照度曲線である。図６、図８および図１０において、データ左半分は、光の広がりを示す。図中の直線は水平面照度が直下の１／２になる角度を表し、各高さごとに、１／２照度角の径（φ）と中心照度を記載している。データ右半分は、縦軸に光源からの距離、横軸に光源直下からの水平距離をとり、曲線で水平面照度の得られる範囲を示している。図７、図９および図１１は、光源２１Ｍから３ｍ光軸方向に離れた位置における等照度曲線である。
【００３１】
図６および図７に示すように、第１モデルＭａでは、光源２１Ｍから３ｍ光軸方向に離れた位置における中心照度が約１３０ｌｘであり、最高照度が約１４０ｌｘである。照度が１２０ｌｘ以上の領域の径が約１．４ｍである。また、第１モデルＭａにおいて、光源２１Ｍの出射光と比較した光の取り出し効率は７０．０１％である。
【００３２】
図８および図９に示すように、第２モデルＭｂでは、光源２１Ｍから３ｍ光軸方向に離れた位置における中心照度および最高照度が約１２０ｌｘであり、照度が１２０ｌｘ以上の領域の径が約１．４ｍである。また、第２モデルＭｂにおいて、光源２１Ｍの出射光と比較した光の取り出し効率は６８．８５％である。
【００３３】
このように、第２モデルＭｂでは、第１モデルＭａと比べて、中心照度が低く、照度が１２０ｌｘ以上の領域の径が非常に小さいことがわかる。すなわち、曲面状のファセットリフレクタ３０１Ｍｂにより、十分な光の拡散ができ、色ムラが低減される。一方で、照度が一定以上の領域の径が小さくなるため、照明光の指向性が低減される。また、光の取り出し効率が低減する。
【００３４】
図１０および図１１に示すように、第３モデルＭｃでは、光源２１Ｍから３ｍの光軸方向に離れた位置における中心照度および最高照度が約１２ｌｘであり、照度が１２０ｌｘ以上の領域の径が約１．４ｍである。また、第３モデルＭｃにおいて、光源２１Ｍの出射光と比較した光の取り出し効率は６９．９２％である。
【００３５】
第３モデルＭｃでは、第１モデルＭａと比べて、中心照度が低い。このように、第３モデルＭｃでは、平面状のファセットリフレクタ３０１Ｍｃにより、中心に集まる光が拡散され、色ムラが低減される。一方で、第３モデルＭｃでは、第１モデルＭａと比べて、照度が１２０ｌｘの領域の径に大きな違いは無い。したがって、照明光の指向性の低下率は、第２モデルＭｂと比べて小さい。また、第３モデルＭｃでは、第１モデルＭａと比べて光の取り出し効率が低いが、第２モデルＭｂよりも光の取り出し効率が高い。
【００３６】
上記のシミュレーションの結果より、平面状のファセットリフレクタは、曲面状のファセットリフレクタと比べて照明光の指向性および照度の低下を抑制できることがわかる。第１実施形態に係る照明装置１Ａでは、反射板２４Ａの内周面３０Ａに複数の平面状のファセットリフレクタ３０１Ａが設けられることにより、色ムラを低減しつつ、照明光の指向性および照度の低下を抑制できる。すなわち、色ムラを低減しつつ、所望の配光角度および軸光度を得ることができる。
【００３７】
＜２．第２実施形態＞
図１２は、第２実施形態に係る照明装置１Ｂの本体部１０Ｂの断面図である。この照明装置１Ｂも、第１実施形態の照明装置１Ａと同様、特定の方向に向かって光を照射する、いわゆるスポットライトである。この照明装置１Ｂは、本体部１０Ｂの反射板２４Ｂの形状のみが第１実施形態の照明装置１Ａと異なっている。このため、以下では、反射板２４Ｂに関わる事項のみ説明し、その他の事項の説明を省略する。
【００３８】
反射板２４Ｂは、中心軸９を中心とし、前側が開口した環状の部材である。反射板２４Ｂは、光源２１の近傍に配置される後端部３１Ｂから前端部３２Ｂの開口へ向かうにつれて拡径するドーム状の内周面３０Ｂを有する。内周面３０Ｂは、前端部３２Ｂ側へ向かうにつれて曲率が小さくなる基準曲面に沿って配置される。基準曲面は、中心軸９を中心とした曲線を回転した回転体の曲面上に配置される。
【００３９】
内周面３０Ｂは、後端部３１Ｂを含む第１内周面３３Ｂと、前端部３２Ｂを含む第２内周面３４Ｂとを有する。第２内周面３４Ｂは、第１内周面３３Ｂよりも前端部３２Ｂ側に配置される。
【００４０】
第１内周面３３Ｂには、基準曲面を軸方向および周方向に分割した複数の小領域のそれぞれに、ファセットリフレクタ３０１Ｂが設けられている。ファセットリフレクタ３０１Ｂは平面状である。なお、ファセットリフレクタ３０１Ｂは、径方向内側へ突出する曲面状を含め、その形状を問わない。
【００４１】
第２内周面３４Ｂは、基準曲面に沿う滑らかな曲面状である。
【００４２】
第１内周面３３Ｂと第２内周面３４Ｂとの境界部３５Ｂは、前端部３２Ｂと後端部３１Ｂとの軸方向中間位置よりも前端部３２Ｂ側に配置される。すなわち、第１内周面３３Ｂの軸方向の範囲は、第２内周面３４Ｂの軸方向の範囲よりも広い。また、第２内周面３４Ｂの軸方向の範囲は、内周面３０Ｂの軸方向の範囲の１割以上であることが好ましい。具体的には、第１内周面３３Ｂの軸方向の長さと第２内周面３４Ｂの軸方向の長さとの比は５：３である。
【００４３】
光源２１に駆動電流が供給されると、光源２１から前側へ向かう方向を中心として光が出射される。そして、光源２１から出射された光のうち、光学部材２３のレンズ部２３３に入射された光は、光学部材２３において屈折し、所定の方向へ向かう光となって出射される。
【００４４】
一方、光源２１から出射された光のうち、光学部材２３の筒部２３２に入射された光は、反射板２４Ｂの内周面３０Ｂへと向かう。反射板２４Ｂの内周面３０Ｂに入射された光は、内周面３０Ｂにおいて反射し、所定の方向へ向かう光となって出射される。
【００４５】
ここで、上記の通り、内周面３０Ｂは、ファセットリフレクタ３０１Ｂを有する第１内周面３３Ｂと、ファセットリフレクタ３０１Ｂを有さない滑らかな曲面状の第２内周面３４Ｂとを有する。第１内周面３４Ｂは、第２内周面３５Ｂと比べて、光源２１からの光を拡散する。このため、照射後の照明光に色ムラが生じるのを抑制できる。一方、第２内周面３４Ｂは、第１内周面３３Ｂと比べて、光源２１からの光を拡散せず、所定の方向へ向かって反射する。したがって、第２内周面３４Ｂにおいて反射した光は指向性が高い。
【００４６】
このように、ファセットリフレクタ３０１Ｂを内周面３０Ｂの一部のみに設けることにより、色ムラを低減しつつ、照明光の指向性および中心照度の低下を抑制できる。すなわち、色ムラを低減しつつ、所望の配光角度および軸光度を得ることができる。
【００４７】
第１内周面３３Ｂの範囲が小さいと、照明光の色ムラが十分に解消されないおそれがある。この照明装置１Ｂでは、特に、第１内周面３３Ｂの軸方向の範囲が、第２内周面３４Ｂの軸方向の範囲よりも広い。これにより、照明光の色ムラの解消と、軸光度低下抑制との双方を、より確実に両立できる。
【００４８】
また、この照明装置１Ｂでは、特に、ファセットリフレクタ３０１Ｂが平面状である。これにより、ファセットリフレクタ３０１Ｂが曲面状である場合と比べて、光の取り出し効率の低下を抑制し、照明光の指向性および照度の低下を抑制できる。
【００４９】
＜３．第３実施形態＞
図１３は、第３実施形態に係る照明装置１Ｃの本体部１０Ｃの断面図である。この照明装置１Ｃも、第１実施形態の照明装置１Ａと同様、特定の方向に向かって光を照射する、いわゆるスポットライトである。この照明装置１Ｃは、本体部１０Ｃの反射板２４Ｃの形状のみが第１実施形態の照明装置１Ａと異なっている。このため、以下では、反射板２４Ｃに関わる事項のみ説明し、その他の事項の説明を省略する。
【００５０】
反射板２４Ｃは、中心軸９を中心とし、前側が開口した環状の部材である。反射板２４Ｃは、光源２１の近傍に配置される後端部３１Ｃから前端部３２Ｃの開口へ向かうにつれて拡径するドーム状の内周面３０Ｃを有する。
【００５１】
内周面３０Ｃは、後端部３１Ｃを含む第１内周面３３Ｃと、前端部３２Ｃを含む第２内周面３４Ｂとを有する。第２内周面３４Ｂは、第１内周面３３Ｂよりも前端部３２Ｂ側に配置される。
【００５２】
第１内周面３４Ｃは、軸方向一方側へ向かうにつれて曲率が小さくなる第１基準曲面に沿って配置される。第２内周面３５Ｃは、軸方向一方側へ向かうにつれて曲率が小さくなる第２基準曲面に沿って配置される。第１基準曲面および第２基準曲面はそれぞれ、中心軸９を中心とした曲線を回転した回転体の曲面上に配置される。中心軸９を通る断面において、第２基準曲面の曲率は、第１基準曲面を前端部３２Ｃ側に延長した曲面の同一の軸方向位置における曲率よりも小さい。
【００５３】
第１内周面３４Ｃには、第１基準曲面を軸方向および周方向に分割した複数の小領域のそれぞれに、ファセットリフレクタ３０１Ｃが設けられている。第２内周面３５Ｃには、第２基準曲面を軸方向および周方向に分割した複数の小領域のそれぞれに、ファセットリフレクタ３０１Ｃが設けられている。これにより、照明光の色ムラが低減される。ファセットリフレクタ３０１Ｃはそれぞれ、径方向内側へ突出する曲面状である。なお、ファセットリフレクタ３０１Ｃはそれぞれ、平面状を含め、その形状を問わない。また、第１内周面３４Ｃおよび第２内周面３５Ｃはそれぞれ、ファセットリフレクタ３０１Ｃを有していない滑らかな曲面であってもよい。
【００５４】
光源２１に駆動電流が供給されると、光源２１から前側へ向かう方向を中心として拡散光が出射される。そして、光源２１から出射された光のうち、光学部材２３のレンズ部２３３に入射された光は、光学部材２３において屈折し、所定の方向へ向かう光となって出射される。
【００５５】
一方、光源２１から出射された光のうち、光学部材２３の筒部２３２に入射された光は、反射板２４Ｃの内周面３０Ｃへと向かう。反射板２４Ｃの内周面３０Ｃに入射された光は、内周面３０Ｃにおいて反射し、所定の方向へ向かう光となって出射される。
【００５６】
ここで、中心軸９を通る断面において、第１基準曲面を前端部３２Ｃ側に延長した曲面は、第２基準曲面と比べて、同一の軸方向位置における曲率が大きい。したがって、内周面３０Ｃ全体の基準曲面が第１基準曲面を前端部３２Ｃまで延長した曲面である反射板は、内周面３０Ｃ全体の基準曲面が第２基準曲面を後端部３１Ｃまで延長した曲面である反射板と比べて、配光角度が大きい。すなわち、第２内周面３５Ｃにおいて反射した光の配光角度は、第１内周面３４Ｃにおいて反射した光の配光角度よりも小さい。
【００５７】
具体的には、第１基準曲面は、内周面３０Ｃ全体が第１基準曲面を前端部３２Ｃまで延長した曲面に沿って配置されている場合、配光角度が２６°となるように設計されている。また、第２基準曲面は、内周面３０Ｃ全体が第２基準曲面を後端部３１Ｃまで延長した曲面に沿って配置されている場合、配光角度が８°となるように設計されている。そして、第１内周面３４Ｃの軸方向の長さと第２内周面３５Ｃの軸方向の長さとの比は７：３である。
【００５８】
図１４は、配光角度が中角である２６°に設計された第１内周面３４Ｃと、配光角度が狭角である８°に設計された第２内周面３５Ｃの軸方向の割合と、配光角度との関係を示したグラフである。図１４のグラフの横軸は、内周面３０Ｃにおける第１内周面３４Ｃの軸方向の割合であり、縦軸は、配光角度である。
【００５９】
図１４に示すように、第１内周面３４Ｃの軸方向の長さと第２内周面３５Ｃの軸方向の長さの比が２：８である場合、配光角度は約９°となる。第１内周面３４Ｃの軸方向の長さと第２内周面３５Ｃの軸方向の長さの比が５：５である場合、配光角度は約１２°となる。そして、第１内周面３４Ｃの軸方向の長さと第２内周面３５Ｃの軸方向の長さの比が７：３である場合、配光角度は約１８°となる。
【００６０】
このように、この反射板２４Ｃでは、配光角度が約１８°となる。このように異なる配光角度となるように設計された２つの基準曲面を組み合わせて内周面３０Ｃを構成することにより、所望の配光角度となる反射板２４Ｃを得ることができる。
【００６１】
図１４に示すように、中角（２６°）の基準曲面と狭角（８°）の基準曲面とを組み合わせて、配光角度が１５°〜２０°程度の照明光を実現するためには、中角（２６°）成分である第１内周面３４Ｃの軸方向の割合を５５％〜７５％とし、狭角（８°）成分である第２内周面３５Ｃの軸方向の割合を２５％〜４５％とすればよい。
【００６２】
第２内周面３５Ｃとバッフル２５との軸方向の距離は、第１内周面３４Ｃとバッフル２５との軸方向の距離よりも小さい。このため、第１内周面３４Ｃで拡散して中心軸９に対して大きな角度で進行する光は、バッフル２５に当たる。これにより、配光角度が大きくなるのが抑制される。一方、第２内周面３５Ｃで拡散して中心軸９に対して大きな角度で進行する光は、バッフル２５に当たりにくい。しかしながら、第２内周面３５Ｃにおける配光角度は第１内周面３４Ｃにおける配光角度よりも小さいため、配光角度が大きくなるという問題が生じない。
【００６３】
このため、反射角度の異なる曲面を組み合わせる際に、軸方向他方側に配置される第１内周面３４Ｃの第１基準曲面の曲率を、第２内周面３５Ｃの第２基準曲面の曲率よりも大きいものとする。これにより、照明光が所望の配光角度よりも拡散するのを抑制できる。
【００６４】
また、異なる基準曲面を組み合わせて配光角度を１８°に設計した反射板２４Ｃでは、単一の基準曲面により配光角度が１８°に設計された内周面を有する反射板と比べて軸光度が高い。以下では、異なる基準曲面を組み合わせた場合と、単一の基準曲面を用いた場合とのシミュレーション結果について説明する。シミュレーションは、単一の基準曲面により設計された反射板モデルである第４モデルＭｄ、および、２つの異なる基準曲面により設計された反射板モデルである第５モデルＭｅについて行った。
【００６５】
図１５は、第４モデルＭｄの断面図である。図１６は、第５モデルＭｅの断面図である。図１５および図１６に示すように、これらのシミュレーションモデルＭｄ，Ｍｅはそれぞれ、光源２１Ｍと、反射板２４Ｍ（Ｍｄ，Ｍｅ）と、バッフル２５Ｍとを有する。なお、これらのシミュレーションモデルＭｄ，Ｍｅは、レンズ部を有する透光性の光学部材２３を有していない。
【００６６】
第４モデルＭｄにおいて、反射板２４Ｍｄの内周面は、配光角度を１８°に設計した単一の基準曲面に沿って配置される。また、第５モデルＭｄにおいて、反射板Ｍｅは、第２実施形態に係る反射板２４Ｃと同様に設計している。
【００６７】
図１７は、第４モデルＭｄの等照度曲線である。図１８は、第５モデルＭｅの等照度曲線である。図１７に示すように、第４モデルＭｄは、光源２１Ｍから１ｍ光軸方向に離れた位置における中心照度が４９３０ｌｘである。また、第４モデルＭｄの配光角度は約１８°である。図１８に示すように、第５モデルＭｅは、光源２１Ｍから１ｍ光軸方向に離れた位置における中心照度が５９９０ｌｘである。また、第５モデルＭｅの配光角度は約１７°である。
【００６８】
このように、第４モデルＭｄと第５モデルＭｅとは、配光角度が類似している。しかしながら、第５モデルＭｅの中心照度が、第４モデルＭｄの中心照度と比べて約２０％も大きい。
【００６９】
したがって、この反射板２４Ｃは、異なる基準曲面を組み合わせることにより、中心照度を大きくできる。すなわち、軸光度を大きくできる。具体的には、中角（２６°）の基準曲面と狭角（８°）の基準曲面とを組み合わせて、軸光度の高い中角（１８°）の照明光を実現できる。
【００７０】
＜４．変形例＞
以上、本発明の主たる実施形態について説明したが、本発明は、上記の実施形態に限定されるものではない。
【００７１】
上記の実施形態では、照明装置がレンズ部を備えた透光性の光学部材を有していたが、本発明はこれに限られない。光源から出射される光が、レンズ部を備えた透光性の光学部材を介さずに反射板に入射されてもよい。
【００７２】
また、上記の実施形態では、照明装置が天井に対して回動可能に固定されたが、本発明はこれに限られない。本発明の照明装置は、天井に対して回動不可能に固定されてもよいし、壁等の天井以外の構造物に対して固定されてもよい。また、本発明の照明装置は、本体部がスタンドに固定されるものであってもよい。
【００７３】
また、上記の実施形態では、光源であるＬＥＤ光源が反射板の後端部よりも後側に配置されているが、反射板で囲まれた空間の内部に配置してもよい。
【００７４】
また、上記の実施形態では、光源としてＬＥＤ光源を用いているが、本発明はこれに限られない。光源として白熱球や蛍光灯等の他の光源を用いてもよい。
【００７５】
また、上記の各実施形態や変形例に登場した各要素を、矛盾が生じない範囲で、任意に組み合わせてもよい。
【００７６】
＜５．発明の抽出＞
上記の実施形態および変形例から抽出される発明として、例えば、以下の発明を挙げることができる。
【００７７】
第１発明は、光源とともに用いられる反射板であって、前記光源の近傍に配置される後端部から前端部の開口へ向かうにつれて拡径するドーム状の内周面を有し、前記内周面は、前記前端部側へ向かうにつれて曲率が小さくなり、前記内周面は、分割された複数の小領域のそれぞれに、平面状または径方向内側へ突出する曲面状のファセットリフレクタが設けられた第１内周面と、前記第１内周面よりも前記前端部側に配置され、滑らかな曲面状である第２内周面と、を含む。
【００７８】
第２発明は、第１発明の反射板であって、前記第１内周面と前記第２内周面との境界部は、前記反射板の前記前端部と前記後端部との中間位置よりも前記前端部側に配置される。
【００７９】
第３発明は、第１発明または第２発明の反射板であって、前記ファセットリフレクタは平面状である。
【００８０】
第４発明は、光源とともに用いられる反射板であって、前記光源の近傍に配置される後端部から前端部の開口へ向かうにつれて拡径するドーム状の内周面を有し、前記内周面は、前記前端部側へ向かうにつれて曲率が小さくなる第１内周面と、前記第１内周面の前記前端部側に配置され、前記前端部側へ向かうにつれて曲率が小さくなる第２内周面と、を含み、前記光源の光軸を通る断面において、前記第２内周面の曲率は、前記第１基準曲面を前記前端部側へ延長した曲面の曲率よりも小さい。
【００８１】
第５発明は、第４発明の反射板であって、前記第１内周面および前記第２内周面の少なくとも一方には、分割された複数の小領域のそれぞれに、平面状または径方向内側へ突出する曲面状のファセットリフレクタが設けられる。
【００８２】
第６発明は、第５発明の反射板であって、前記ファセットリフレクタは平面状である。
【００８３】
第７発明は、光源と、第１発明ないし第６発明のいずれかの反射板と、を有する。
【００８４】
第１発明〜第７発明によれば、所望の配光角度および軸光度を得られる反射板を提供できる。
【００８５】
特に、第１発明によれば、ファセットリフレクタを内周面の一部のみに設けることにより、色ムラを低減しつつ、照明光の指向性および中心照度の低下を抑制できる。すなわち、色ムラを低減しつつ、所望の配光角度および軸光度を得ることができる。
【００８６】
特に、第２発明によれば、照明光の色ムラの解消と、軸光度低下抑制との双方を、より確実に両立できる。
【００８７】
特に、第３発明によれば、ファセットリフレクタが曲面状である場合と比べて、光の取り出し効率の低下を抑制し、照明光の指向性および照度の低下を抑制できる。
【００８８】
特に、第４発明によれば、異なる配光角度となるように設計された２つの基準曲面を組み合わせて内周面を構成することにより、所望の配光角度となる反射板を得ることができる。また、単一の基準曲面により同じ配光角度となる反射板と比べて、軸光度を大きくできる。
【００８９】
特に、第５発明によれば、照明光の色ムラを低減できる。
【００９０】
特に、第６発明によれば、ファセットリフレクタが曲面状である場合と比べて、光の取り出し効率の低下を抑制し、照明光の指向性および照度の低下を抑制できる。
【符号の説明】
【００９１】
１Ａ，１Ｂ，１Ｃ  照明装置
９  中心軸
１０Ａ，１０Ｂ，１０Ｃ  本体部
２１，２１Ｍ  光源
２３  光学部材
２４Ａ，２４Ｂ，２４Ｃ，２４Ｍ，２４Ｍａ，２４Ｍｂ，２４Ｍｃ，２４Ｍｄ  反射板
２５，２５Ｍ  バッフル
３０Ａ，３０Ｂ，３０Ｃ  内周面
３１Ｂ，３１Ｃ  前端部
３２Ｂ，３２Ｃ  後端部
３３Ｂ，３３Ｃ  第１内周面
３４Ｂ，３４Ｃ  第２内周面
３５Ｂ，３５Ｃ  境界部
３０１Ａ，３０１Ｂ，３０１Ｃ，３０１Ｍｂ，３０１Ｍｃ  ファセットリフレクタ
Ｍａ，Ｍｂ，Ｍｃ，Ｍｄ，Ｍｅ  シミュレーションモデル
【図１】
2019008926.tif 000003
【図２】
2019008926.tif 000004
【図３】
2019008926.tif 000005
【図４】
2019008926.tif 000006
【図５】
2019008926.tif 000007
【図６】
2019008926.tif 000008
【図７】
2019008926.tif 000009
【図８】
2019008926.tif 000010
【図９】
2019008926.tif 000011
【図１０】
2019008926.tif 000012
【図１１】
2019008926.tif 000013
【図１２】
2019008926.tif 000014
【図１３】
2019008926.tif 000015
【図１４】
2019008926.tif 000016
【図１５】
2019008926.tif 000017
【図１６】
2019008926.tif 000018
【図１７】
2019008926.tif 000019
【図１８】
2019008926.tif 000020